(57)【要約】【課題】おむつをペットに装着した際に、おむつ内部の蒸れが少ない通気性に優れるペット用おむつを提供する。【解決手段】着用時に前記ペットの尻尾の位置に、該尻尾を通すための尻尾通し孔が設けられているおむつにおいて、トップシートと、バックシートと、これら両シートに内包されている吸収体と、から構成され、前記吸収体が、前記腹当部の所定領域と前記腹当部とに連続して配置され、前記吸収体と前記バックシートとの間に、前記吸収体の全域を覆う防漏フィルムを備えるものとする。【選択図】  図１
2004194566.tif 000002
【特許請求の範囲】
【請求項１】
ペットの背中付近に当設される背当部と、該ペットの股付近に当設される股当部と、該ペットの腹付近に当設される腹当部と、を有し、着用時に前記ペットの尻尾の位置に、該尻尾を通すための尻尾通し孔が設けられているペット用おむつにおいて、
前記ペット用おむつのおむつ本体が、トップシートと、バックシートと、これら両シート間に配設されている吸収体と、から構成され、
前記吸収体が、前記股当部の所定領域から前記腹当部に亘って連続して配置されると共に、
前記吸収体と前記バックシートとの間に、前記吸収体の全域を覆う防漏フィルムが備えられてなることを特徴とするペット用おむつ。
【請求項２】
前記股当部の所定領域は、前記尻尾通し孔よりも前記腹当部側寄りの股当部であることを特徴とする請求項１に記載のペット用おむつ。
【請求項３】
前記防漏フィルムは、前記尻尾通し孔が設けられる領域を含んで配置されていることを特徴とする請求項１または２に記載のペット用おむつ。
【請求項４】
前記防漏フィルムは、前記尻尾通し孔が設けられる領域を除いて配置されていることを特徴とする請求項１または２に記載のペット用おむつ。
【請求項５】
前記バックシートは、撥水性を有する不織布で構成されていることを特徴とする請求項４に記載のペット用おむつ。
【発明の詳細な説明】
【０００１】
【発明の属する技術分野】
本発明は、ペット用おむつに関する。具体的には、おむつをペットに着用した際に、おむつ内部の蒸れが少ない通気性に優れるペット用おむつに関する。
【０００２】
【従来の技術】
ペットに着用するペット用おむつとして、各種のものが市販されているが、これらのペット用おむつとしては、例えば、特許文献１に開示されているように液透過性の不織布などからなるトップシートと、液不透過性プラスチックフィルムなどからなるバックシートと、これらのトップシート及びバックシートに内包されトップシートを透過した液体を吸収する吸収体とが配置されたもので、ペットの尻尾に対応する位置には、所定の形状及び大きさの孔が設けられ、この孔からペットの尻尾を外部に出すようになっている。
【０００３】
【特許文献１】
特開平７−２３６３８０号公報
【０００４】
【発明が解決しようとする課題】
そして、この従来のペット用おむつにおいては、人間用のおむつの機械を使用して製造されることが多く、吸収体が吸収した尿等の液体を外部に漏らさないために吸収体とおむつの最外部のバックシートとの間に防漏フィルムがおむつの長さの全体に亘って設けられていた。また、おむつを構成するバックシート自体の素材にフィルムを使っている商品もある。
【０００５】
しかしながら、この防漏フィルム等のフィルムは通気性に劣るため、おむつを着用した際に、ペットの背中側も防漏フィルムで覆われると通気ができずにおむつ内部が蒸れるという不都合があった。ところで、犬等のペットの体型を考えると、吸収体を長くして背中側に存在していても、尿等の液体が背中側で吸収されることはなく、また尿道口が尻尾の付近にある雌犬等の雌のペットが大量に小便をした際に、背中側に拡散することもあるがその確率は低く、このまれな時のために吸収体とこの吸収体の裏側に設けられる防漏フィルムを長くして背中側にまで設けることは材料コスト等を無駄に増加させることになる。
【０００６】
そこで、通気性を改善するために防漏フィルムやバックシ−トを構成するフィルムとして通気性を有するフィルムも使われることがあるが、通気度を高くすると尿等の液体が漏れやすくなるという問題が生ずる。また、通気できるといっても不織布などに比べると通気度は低いものであった。また、価格も高いものとなるという不都合がある。
【０００７】
本発明は、このような従来の技術に存在する問題点に着目してなされたものである。その目的とするところは、尻尾通し孔が形成されたペット用おむつにおいて、ペットの背中側からの通気度を高め、おむつ内部の蒸れが少ないペット用おむつを提供することにある。
【０００８】
【課題を解決するための手段】
以上のような課題を解決するために、本発明においては以下のようなものを提供する。
【０００９】
（１）  ペットの背中付近に当設される背当部と、該ペットの股付近に当設される股当部と、該ペットの腹付近に当設される腹当部と、を有し、着用時に前記ペットの尻尾の位置に、該尻尾を通すための尻尾通し孔が設けられているペット用おむつにおいて、前記ペット用おむつのおむつ本体が、トップシートと、バックシートと、これら両シート間に配設されている吸収体と、から構成され、前記吸収体が、前記股当部の所定領域から前記腹当部に亘って連続して配置されると共に、前記吸収体と前記バックシートとの間に、前記吸収体の全域を覆う防漏フィルムが備えられてなることを特徴とするペット用おむつを提供する。
【００１０】
本発明によれば、ペットの尿等の液体は吸収体に吸収され、吸収された吸収体とバックシートとの間に設けられた防漏フィルムによっておむつの外部に漏れるのが防止される。この際、犬等のペットの体型を考慮すると、尿等の液体を吸収する吸収体は、雄のペットの性器（尿道口）位置にあたる腹側の端部付近と雌のペットの性器位置にあたる尻尾の下部部分に設けられていれば十分であり、吸収体が背当部に在っても尿等の液体が背中側に回ることが少ないので背中側で吸収されることはない。また、雌のペットが大量に小便をした際に、背中側に拡散することもあるがその確率は低く、このまれな時のために吸収体を長くして背中側にまで設けたとしても、尿等の液体を吸収するということに対しては意味をなさず、材料等のコストを無駄にすることとなる。
【００１１】
また、おむつの背当部には、通気を阻害する防漏フィルム等のフィルムがないので、ペットの背中側が通気されておむつ内部の蒸れを低減できる。更に、背中側が柔らかくなる。これにより、ペットに変な違和感を与えないので着用を嫌がることが少なくなる。また、身体との密着性を高めることもできる。
【００１２】
（２）  前記股当部の所定領域は、前記尻尾通し孔よりも腹当部側寄りの股当部であることを特徴とする（１）に記載のペット用おむつを提供する。
【００１３】
本発明によれば、おむつを着用した際に、吸収体はペットの尿道口を覆う形になるので、尿等の液体は確実に吸収されることになり、外に漏れることがない。
【００１４】
（３）  前記防漏フィルムは、前記尻尾通し孔が設けられる領域を含んで配置されていることを特徴とする（１）または（２）に記載のペット用おむつを提供する。
【００１５】
本発明によれば、吸収体とバックシートとの間に設けられた防漏フィルムによって、吸収体に吸収された尿等の液体がバックシート側に移行するのが遮断されて、おむつの外部に漏れるのが防止される。特に、尻尾の側に尿道口がある雌のペットが大量に小便をした際に、尿が背中側に拡散することがあっても、尻尾通し孔近傍の背当部側部分を覆っている防漏フィルムによって尿等の液体がおむつの外部に漏れるのが防止される。
【００１６】
（４）  前記防漏フィルムは、前記尻尾通し孔が設けられる領域を除いて配置されていることを特徴とする（１）または（２）に記載のペット用おむつを提供する。
【００１７】
本発明によれば、吸収体とバックシートとの間に設けられた防漏フィルムによって、吸収体に吸収された尿等の液体がバックシート側に移行するのが遮断されて、おむつの外部に漏れるのが防止される。特に、尿道口の位置が腹側の端部付近にある雄のペットにおいては、尻尾通し孔部分を覆っていなくても、尿等の液体が漏れるおそれがなく、フィルムを短くすることによりおむつ内部の蒸れが一層低減されると共に、コストの低減が可能となる。
【００１８】
（５）  前記バックシートは、撥水性を有する不織布で構成されていることを特徴とする（４）に記載のペット用おむつを提供する。
【００１９】
本発明によれば、尻尾通し孔近傍の背当部から防漏フィルムが配置されていない場合において、尻尾の下部に尿道口が位置する雌のペットが大量に小便をした際に、バックシートを伝って背中側に拡散されるのが防止されることになり、背中側が濡れるおそれが少ない。
【００２０】
【発明を実施するための形態】
以下、本発明の実施形態について、図を参照しつつ説明するが、本発明はこれに限定されるものでない。
【００２１】
図１は本発明に係るペット用おむつの第１の実施形態の構成説明図であり、（ａ）は本実施形態の表面側（身体側）を広げたときの状態を示す平面図で、（ｂ）は（ａ）のＸ−Ｘ'断面を示す断面図である。また、図２はおむつをペットに着用した際にペットの身体に当設する部位を説明する説明図である。この図１において、符番１００で示される本発明のおむつは、おむつ本体１０１と、このおむつ本体１０１に着設された止着テープ１１３ａ，１１３ｂと被接着部１１４を主要素として構成してある。
【００２２】
おむつ本体１０１は、図２に示すように、室内犬の腹付近に当設される腹当部１０２と、室内犬の股付近に当設される股当部１０３と、室内犬の背中付近に当設される背当部１０４からなり、図１（ｂ）に示すように、液透過性の不織布などからなるトップシート１０５（身体側面のシート）と、透湿性の不織布などからなるバックシート１０６（反身体側面のシート）と、トップシート１０５とバックシート１０６の間に設けられた、トップシート１０５を透過した液体を吸収する吸収体１０７および液不透過性の防漏フィルム１０９から構成される。また、おむつ本体１０１には、着用した際にペットの尻尾が位置する部分（おむつ本体１０１の股当部１０３の背当部１０４側近傍）には、ペットの尻尾を通すための尻尾通し孔１０８が切れ込みとして設けられている。また、おむつ本体１０１の幅方向の側縁近傍には、大・小便の横漏れを防ぐ襞状の立体ギャザー１１０ａ，１１０ｂが互いに一定距離を隔てるようにしながらおむつ本体１０１のトップシート１０５に長手方向に着設されている。また、この立体ギャザー１１０ａ，１１０ｂの長手方向に沿って立体ギャザー１１０ａ，１１０ｂに伸縮性を付与する弾性体１１１ａ，１１１ｂが配置されている。また、股当部１０３の幅方向側縁には伸縮性を付与するための弾性体１１２ａ，１１２ｂが配置され、おむつ本体１０１のほぼ中央部分の幅方向側縁（股当部１０３の幅方向側縁）には湾曲形切欠部１１５ａ，１１５ｂが形成されている。そして、腹当部１０２の幅方向側縁に、おむつ１００を止めるための止着テープ１１３ａ，１１３ｂがおむつ本体１０１の外方（図中のおむつ本体１０１の上方向および下方向）に延伸してバックシート１０６に着設されており、また、背当部１０４の側縁近傍には止着テープ１１３ａ，１１３ｂに対応して止着される被接着部１１４がおむつ本体１０１の長手方向の側縁に沿ってバックシート１０６面に着設されている。
【００２３】
上記吸収体１０７は、尻尾通し孔１０８よりも腹当部１０２側寄りの股当部１０３からおむつ１００の腹当部１０２側の長手方向側縁（おむつ本体１０１の長手方向の側縁）近傍に亘って、トップシート１０５の裏面側（バックシート１０６側）に配置されている。この吸収体１０７は尿等の液体を吸収して保持する機能を有するもので、嵩高であり、型崩れし難く、化学的刺激が少ないものであることが好ましい。一般にはパルプ、化学パルプ、レーヨン、アセテート、天然コットン、高分子吸収体、繊維状高分子吸収体、合成繊維を単独又はこれらを混合した物が使用できる。尚、吸収体１０７の形状、構造、吸収能力等は、必要に応じて変えることができ、子犬から成犬までの着用対象のペットに対応して変動される。
【００２４】
上記防漏フィルム１０９は、吸収体１０７に吸収された尿等の液体が外に漏れ出すのを防止するものであって、液不透過性のフィルムからなり、吸収体１０７の幅より広いほぼ矩形状を呈し、尻尾通し孔１０８が設けられている領域を含むようにして、尻尾通し孔１０８近傍の背当部１０４部から腹当部１０２の側縁（おむつ本体１０１の長手方向側縁）に亘って、吸収体１０７とバックシート１０６との間に吸収体１０７の全域を覆うようにして配置されている。この防漏フィルム１０９は、この実施例のように吸収体１０７の幅より広いほぼ矩形状であって、その幅方向は、おむつ本体１０１の腹当部１０２および股当部１０３の両側縁（おむつ本体１０１の幅方向側縁）までに亘って配置されていない方が、腹当部１０２および股当部１０３の両側縁近傍でも通気性が得られるので好ましいが、トップシート１０５とほぼ同じ形状としておむつ本体１０１の腹当部１０２および股当部１０３の両側縁（おむつ本体１０１の幅方向側縁）まで防漏フィルム１０９が設けられていてもよい。また、この防漏フィルム１０９は、通気性でも非通気性のいずれであってもよい。通気性にすることで、おむつ１００全体の通気度をより一層上げることができる。また、非通気性にすることで、ペットの大・小便等の排泄物の臭いがおむつ１００の外部に放出されるのを低減でき、飼い主にとって快適なおむつ１００を作ることができる。尚、通気性を有するフィルムとしては、例えば、合成樹脂を膜化したシート状フィルム、無機フィラーを充填させて延伸処理を施すことにより得られる通気フィルム、１０〜３０％の開孔を有し孔径が０．１〜０．６ｍｍの範囲で毛細管を吸収性体側に向かうように配置することにより得られる通気性液遮断フィルム等が挙げられる。
【００２５】
上記おむつ本体１０１を構成するトップシート１０５は、親水性であり、肌に刺激を与えない材料が使用される。このようなものとしては、メルトブローン、スパンボンド、スルーエアー、ポイントボンド、ニードルパンチ、湿式、湿式スパンレース、フォームフィルム等の製造方法から得られる不織布を単独又はこれらを複合した材料が挙げられる。また、繊維状シートとしては、レーヨン、アセテート、コットン、パルプ又は合成樹脂を成分としたものを単独又は芯鞘構造を成すように複合したものを単独又は混合した繊維をシート化したものが挙げられる。
【００２６】
また、上記おむつ本体１０１を構成するバックシート１０６は、透湿性の不織布であって、トップシート１０５と同様な材料が使用できる。これによって、おむつ１００を着用した際に、防漏フィルム１０９が配設されていない背当部１０４は通気性が確保され、着用した際、おむつ１００内部の蒸れを低減できることになる。尚、このバックシート１０６は撥水性に有するものであってもよい。撥水性を有することにより、ペットが大量の小便をした際に吸収体１０７に大量の尿等の液体が吸収され、万一、防漏フィルム１０９から染み出したとしてもバックシート１０６が濡れるおそれが少ない。
【００２７】
図３は本発明に係るペット用おむつを使用している状態の使用例構成説明図である。図中、図１と同一符号は同一の意味で使用し、ここでの重複説明は省略する。
【００２８】
符番２００は生まれて間もない子犬あるいは老衰や事故等により大・小便を飼い主に依存するようになった室内犬、符番２０１は室内犬の尻尾、符番２０２は室内犬の腹部、符番２０３ａ，２０３ｂは室内犬の後足、符番２０４は室内犬の背中部である。
【００２９】
以下、図１と図３を用いて本発明に係るペット用おむつ１００の具体的な使用例について詳しく説明する。先ず、図１に示すおむつ１００を持ち、その尻尾通し孔１０８に図３に示す室内犬２００の尻尾２０１を貫通させる。次に、図１に示すおむつ本体１０１の背当部１０４を図３に示す室内犬２００の背中部２０４に当設する。その後、図１に示すおむつ本体１０１の湾曲形切欠部１１５ａ，１１５ｂが図３に示す室内犬２００の後足２０３ａ，２０３ｂの太もも部分にそれぞれ当たるようにしながら、図１に示すおむつ本体１０１の股当部１０３を図３に示す室内犬２００の股などに当設する。次いで、図１に示すおむつ本体１０１の腹当部１０２を図３に示す室内犬２００の腹部２０２に当設させ、その後、図１に示すおむつ本体１０１に着設された止着テープ１１３ａ，１１３ｂをおむつ本体１０１の背当部１０４のバックシート１０６に設けられた被接着部１１４に止着して、おむつ１００を固定する。
【００３０】
このようにして、生まれて間もない子犬あるいは老衰や事故などにより大・小便を飼い主に依存するようになった室内犬２００に、本発明の第１の実施例のペット用おむつ１００が図３に示すようにして着用される。また、このおむつ１００を室内犬２００からはずす場合には、上述の着用動作と逆の手順で室内犬２００からはずされる。
【００３１】
次に、本発明に係るペット用おむつの第２の実施形態について図４により説明する。
【００３２】
図４は、本発明に係るペット用おむつの第２の実施形態を示す構成説明図であり、本実施形態の表面側（身体側）を広げたときの状態を示す平面図である。この実施形態は、第１の実施形態のおむつ１００において、防漏フィルム１０９の長さを短く変更したものである。すなわち、防漏フィルム１０９を尻尾通し孔１０８が設けられている領域を除くようにして、尻尾通し孔１０８近傍の股当部１０３部から腹当部１０２の側縁（おむつ本体１０１の長手方向側縁）に亘って配置したものである。また、バックシート１０６は、撥水性を有する不織布で構成されているのが好ましい。これによって、尻尾の下部に尿道口が位置する雌のペットが大量に小便をしても、背中側に尿等の液体が拡散するのを防止される。また、吸収体１０７に大量の尿等の液体が吸収され、万一、防漏フィルム１０９から染み出したとしてもバックシート１０６が濡れるおそれが少ない。尚、このおむつ１００を構成するその他の要素や材料等は、図１のおむつ１００と同様であるので、説明を省略する。
【００３３】
次に、本発明に係るペット用おむつの第３の実施形態について図５により説明する。
【００３４】
図５は、本発明に係るペット用おむつの第３の実施形態を示す斜視図であって、本発明のペット用おむつ３００はパンツ型のおむつである。このパンツ型のペット用おむつ３００は図１に示す構成のオープン型のペット用おむつ１００の背当部１０４および腹当部１０２の幅方向端縁がそれぞれ接合されて、おむつ３００の両側に接合部３１６ａが形成され、これによって、背当部１０４と腹当部１０２とが連接され胴回り部３１７が形成されて、パンツ型のおむつとなる。また、オープン型のペット用おむつ１００の背当部１０４と腹当部１０２の幅方向側縁どうしをそれぞれ接合することにより、図１に示すおむつ本体１０１の湾曲形切欠部１１５ａ，１１５ｂはペットの足を通す一対の脚開口部３１５ａとして形成される。そして、このパンツ型のペット用おむつ３００の股当部３０３には、背当部３０４側近傍にペットの尻尾を通すための尻尾通し孔３０８が切れ込みとして形成されている。パンツ型のペット用おむつ３００の背当部３０４の側縁部分および腹当部３０２の側縁部分には、伸縮性を付与するための弾性体３１８ａ，３１８ｂが側縁に沿って配置されている。これらの弾性体３１８ａ，３１８ｂでパンツ型のペット用おむつ３００の胴回り部３１７は着用した際に、ペットの胴体に密着することになる。
【００３５】
以下、図３を参照して図５の本発明に係るペット用おむつの第３の実施形態の具体的な使用例について詳しく説明する。先ず、図５に示すペット用おむつ３００を持ち、一対の脚開口部３１５ａに図３に示す室内犬２００の左右の後足２０３ａ，２０３ｂを通した後、ペット用おむつ３００を室内犬２００の左右の後足２０３ａ，２０３ｂの太もも部分まで引っ張り上げる。次に、ペット用おむつ３００の尻尾通し孔３０８に尻尾２０１を貫通させる。次いで、ペット用おむつ３００の胴回り部３１７を引っ張り上げで、図３に示す室内犬２００の背中部２０４と腹部２０２に密着するように着用する。
【００３６】
このようにして、生まれて間もない子犬あるいは老衰や事故などにより大・小便を飼い主に依存するようになった室内犬２００に、本発明の第３の実施形態のペット用おむつ３００が着用される。また、このパンツ型のペット用おむつ３００を室内犬２００からはずす場合には、上述の着用動作と逆の手順で室内犬２００からはずされる。
【００３７】
このパンツ型のペット用おむつ３００は、背当部３０４に防漏フィルム１０９が存在しないので、背中側での通気が可能であり、おむつ３００内部の蒸れを低減されることになる。
【００３８】
以上、上記のパンツ型のペット用おむつ３００は、図１に示すペット用おむつ１００をパンツ型にしたものについて説明したが、図２に示すペット用おむつ１００をパンツ型にしたものであってもよい。
【００３９】
以上の様に本発明に係るおむつに関して、例を示す図面を参照しつつ具体的に説明したが、本発明はもとより図示例に限定される訳ではなく、前記の趣旨に適合し得る範囲で適当に変更を加えて実施することも可能であり、それらはいずれも本発明の技術的範囲に包含される。
【００４０】
例えば、止着テープ１１３ａ，１１３ｂの係合をメカニカル係合として雄側係合片をフック部材とし、これに対応する雌側係合片を不織布の表面のループ繊維として、被接着部１１４を特に設けない構成にしてもよい。また、ペットの尻尾を通す尻尾通し孔１０８は、切れ込みとしないで、切り抜いた孔としてもよい。
【００４１】
【発明の効果】
以上に説明したように、本発明によれば、ペット用おむつをペットに着用した際に、ペットの背中側には防漏フィルム等のフィルムが存在しないので、背中側で通気が可能となり、オムツ全体の通気性を上げることができる。このため、着用中におけるおむつ内の蒸れが低減される。また、背中側が柔らかくなるので、着用時にペットに変な違和感を与えないので、着用を嫌がることが少なくなる。また、身体との密着性を高めることができる。
【００４２】
さらに、防漏フィルム等のフィルムや吸収体が短いもので尿等の液体の漏れを防止できるので、材料費の低減等が可能となり低コストで生産することができる。
【図面の簡単な説明】
【図１】本発明に係るペット用おむつの第１の実施形態の構成説明図であり、（ａ）は本実施形態の表面側を広げたときの状態を示す平面図で、（ｂ）は（ａ）のＸ−Ｘ'断面を示す断面図である。
【図２】おむつをペットに着用した際にペットの身体に当設する部位を説明する説明図である。
【図３】本発明に係るペット用おむつを使用する状態を説明するための使用例構成説明図である。
【図４】本発明に係るペット用おむつの第２の実施形態を示す構成説明図である。
【図５】本発明に係るペット用おむつの第３の実施形態を示す斜視図である。
【符号の説明】
１００  ペット用おむつ（オープン型のペット用おむつ）
１０１  おむつ本体
１０２  腹当部
１０３  股当部
１０４  背当部
１０５  トップシート
１０６  バックシート
１０７  吸収体
１０８  尻尾通し孔
１０９  防漏フィルム
１１０ａ，１１０ｂ  立体ギャザー
１１１ａ，１１１ｂ，１１２ａ，１１２ｂ  弾性体
１１３ａ，１１３ｂ  止着テープ
１１４  被接着部
１１５ａ，１１５ｂ  切欠部
２００  室内犬
２０１  室内犬の尻尾
２０２  室内犬の腹部
２０３ａ，２０３ｂ  室内犬の後足
２０４  室内犬の背中部
３００  ペット用おむつ（パンツ型のペット用おむつ）
３０２  腹当部
３０３  股当部
３０４  背当部
３０７  吸収体
３０８  尻尾通し孔
３０９  防漏フィルム
３１５ａ  脚開口部
３１６ａ  接合部
３１７  胴回り部
３１８ａ，３１８ｂ  弾性体
【図１】
2004194566.tif 000003
【図２】
2004194566.tif 000004
【図３】
2004194566.tif 000005
【図４】
2004194566.tif 000006
【図５】
2004194566.tif 000007